(57)【要約】      （修正有）【課題】居室親機が在宅モードで玄関子機からの映像信号が遮断されたとき、市販のテレビ受像機の電源をオフし、居室親機が留守モードで玄関子機からの映像信号が遮断されたとき、市販の録画装置の電源をオフすることができるインターホン装置を提供する。【解決手段】戸玄関子機と、居室親機とから構成され、玄関子機からの映像信号又は音声信号をテレビ受像機又は録画装置に出力するインターホン装置において、居室親機は、玄関子機からの呼出信号を受信するとテレビ受像機又は録画装置を制御するリモコン部と、在宅モードと留守モードの切り替えを行なうモード切替部と、居室親機が在宅モードで玄関子機から呼出操作されたとき、リモコン部からテレビ受像機へ表示開始信号を送り、居室親機が留守モードで玄関子機から呼出操作されたとき、リモコン部から録画装置へ録画開始信号を送る制御を行なうＣＰＵを備えた。【選択図】図１
2008211688.tif 000002
【特許請求の範囲】
【請求項１】
戸建て住宅の門扉又は玄関に設置されて居住者を呼び出すための玄関子機（１）と、室内に設置されて前記玄関子機からの呼び出しに応答するための居室親機（２）とから構成され、前記玄関子機からの映像信号又は音声信号をテレビ受像機（３）又は録画装置（４）に出力するインターホン装置において、
前記居室親機は、前記玄関子機からの呼出信号を受信すると前記テレビ受像機又は前記録画装置を制御するリモコン部（２０４）と、在宅モードと留守モードの切り替えを行なうモード切替部（２０６）と、
前記居室親機が前記在宅モードで前記玄関子機から呼出操作されたとき、前記リモコン部から前記テレビ受像機へ表示開始信号を送り、前記居室親機が前記留守モードで前記玄関子機から呼出操作されたとき、前記リモコン部から前記録画装置へ録画開始信号を送る制御を行なうＣＰＵ（２０３）を備えたことを特徴とするインターホン装置。
【請求項２】
前記居室親機が前記在宅モードで前記玄関子機からの映像信号が遮断されたとき、前記リモコン部から前記テレビ受像機へ表示終了信号を送り、前記居室親機が前記留守モードで前記玄関子機からの映像信号が遮断されたとき、前記リモコン部から前記録画装置へ録画終了信号を送る制御を行なう前記ＣＰＵを備えたことを特徴とする請求項１記載のインターホン装置。
【請求項３】
前記居室親機が前記在宅モードのときに前記居室親機にて録画操作すると、前記リモコン部から前記録画装置へ録画開始信号を送る制御を行なう前記ＣＰＵを備えたことを特徴とする請求項１又は２記載のインターホン装置。
【発明の詳細な説明】
【技術分野】
【０００１】
本発明は、インターホン装置に係り、玄関子機で撮像した映像をテレビ受像機、録画装置に出力するインターホン装置に関する。
【背景技術】
【０００２】
従来から、ドアホン子器からの映像信号をインターホン親機で撮像映像を確認することができるインターホン装置に、市販のテレビ受像機又は録画装置を接続しドアホン子器からの撮像映像を確認することができるインターホン装置が開示されている（例えば、特許文献１を参照）。
【０００３】
このようなインターホン装置は、ドアホン子器から呼び出し操作されると、ドアホン子器から映像信号を市販のテレビ受像機又は録画装置に出力すると共に、インターホン親機のリモコン装置によって市販のテレビ受像機又は録画装置をオン／オフ制御を行なうことができる。このことにより、市販のテレビ受像機をモニタとして、市販の録画装置を記録装置として容易に用いることができる。
【０００４】
【特許文献１】特開２００１−３０９３６０
【発明の開示】
【発明が解決しようとする課題】
【０００５】
しかしながら、特許文献１において、居住者が留守の場合にドアホン子器から呼び出し操作されても、市販のテレビ受像機に撮像映像が出力され、また、居住者がインターホン親機で応答した場合でも、録画装置にて録画されていた。
【０００６】
本発明は、この難点を解消するためになされたもので、居室親機が在宅モードに設定され、かつ玄関子機から呼出操作された場合には、テレビ受像機が表示状態となり玄関子機からの映像を確認することができ、居室親機が留守モードに設定され、かつ玄関子機からの呼出操作された場合には、録画装置が録画状態となり玄関子機からの映像を録画することができるインターホン装置を提供する。
【課題を解決するための手段】
【０００７】
前述の目的を達成するため、戸建て住宅の門扉又は玄関に設置されて居住者を呼び出すための玄関子機と、室内に設置されて玄関子機からの呼び出しに応答するための居室親機とから構成され、玄関子機からの映像信号又は音声信号をテレビ受像機又は録画装置に出力するインターホン装置において、居室親機は、玄関子機からの呼出信号を受信するとテレビ受像機又は録画装置を制御するリモコン部と、在宅モードと留守モードの切り替えを行なうモード切替部と、居室親機が在宅モードで玄関子機から呼出操作されたとき、リモコン部からテレビ受像機へ表示開始信号を送り、居室親機が留守モードで玄関子機から呼出操作されたとき、リモコン部から録画装置へ録画開始信号を送る制御を行なうＣＰＵを備えたことを特徴とする。
【０００８】
また、居室親機が在宅モードで玄関子機からの映像信号が遮断されたとき、リモコン部からテレビ受像機へ表示終了信号を送り、居室親機が留守モードで玄関子機からの映像信号が遮断されたとき、リモコン部から録画装置へ録画終了信号を送る制御を行なうＣＰＵを備えたことを特徴とする。
【０００９】
また、居室親機が在宅モードのときに居室親機にて録画操作すると、リモコン部から録画装置へ録画開始信号を送る制御を行なうＣＰＵを備えたことを特徴とする。
【発明の効果】
【００１０】
本発明のインターホン装置によれば、居室親機が在宅モードのとき玄関子機からの映像を市販のテレビ画面で確認することができ、留守モードのとき玄関子機からの映像を市販の録画装置で録画することができるため、電気代の浪費を抑えることができる。
【００１１】
また、本発明のインターホン装置によれば、居室親機が在宅モードで玄関子機からの映像信号が遮断されたとき、市販のテレビ受像機の電源をオフし、居室親機が留守モードで玄関子機からの映像信号が遮断されたとき、市販の録画装置の電源をオフすることができるため、電気代の浪費を抑えることができる。
【００１２】
さらに、本発明のインターホン装置によれば、居室親機が在宅モードのときに居室親機で録画操作を行なうことによって、玄関子機からの映像を市販の録画装置で録画することができるため、利便性が高められる。
【発明を実施するための最良の形態】
【００１３】
以下、本発明のインターホン装置を実施するための最良の形態例について、図面を参照して説明する。
【００１４】
図１は、本発明の第１の実施例によるインターホン装置の具体的な構成を示すブロック図であり、玄関子機１、居室親機２、テレビ受像機３、録画装置４で構成されている。
【００１５】
玄関子機１は、玄関先の映像を撮像するカメラ１０１、居室親機２との音声信号を送受信する為のマイク１０２、スピーカ１０３、居室親機２を呼び出すための呼出通話ボタン１０４を備えている。
居室親機２は、居室親機２を制御するＣＰＵ２０３と、玄関子機１と通話／終話するための通話ボタン２０５、玄関子機１との音声信号を送受信する為の音響部２０７、マイク２０８、スピーカ２０９、玄関子機１からの映像信号を出力するモニタ２０２、在宅モードと留守モードを切り替えるモード切替部２０６、赤外線でテレビ受像機３又は録画装置４に制御信号を送信するリモコン部２０４、玄関子機親機Ｉ／Ｆ２０１を備えている。
テレビ受像機３は、玄関子機１からの映像信号を出力するモニタ３０２、玄関子機１からの音声信号を出力するスピーカ３０１を備えている。
【００１６】
このように構成されたインターホン装置について以下、具体的な動作について説明する。
居室親機２のモード切替部２０６を操作することで在宅モードと留守モードの切り替えを行うことができる。先に在宅モードとなっている状態の動作を説明する。
玄関先にいる来訪者が居住者を呼び出すための玄関子機１の呼出通話ボタン１０４を押下すると、居室親機２のＣＰＵ２０３が呼出を検出し、カメラ１０１からの映像信号をモニタ２０２にて表示すると同時にスピーカ２０９にて呼出音を鳴動させることができる。このとき、ＣＰＵ２０３はモード切替部２０６が在宅モードになっていることを検知して、リモコン部２０４からテレビ受像機３に表示開始信号を赤外線で送信するように制御する。表示開始信号を受信したテレビ受像機は、テレビ受像機３の電源をオンとし、カメラ１０１からの映像信号をモニタ３０２にて表示すると同時にスピーカ３０１にて呼出音を鳴動させることができる。
【００１７】
これを確認した居住者が、居室親機２の通話ボタン２０５を押下すると、玄関子機１と居室親機２との間で音声信号の送受信伝送が可能となり、通話することができる。玄関先にいる来客者との通話を終了する場合は、居室親機２の通話ボタン２０５を再度押下する事によって映像信号、音声信号の伝送を終了させる事ができる。このとき、ＣＰＵ２０３はモード切替部２０６が在宅モードになっていることを検知して、リモコン部２０４からテレビ受像機３に表示終了信号を赤外線で送信するように制御する。表示終了信号を受信したテレビ受像機３は、モニタ表示を終了し、テレビ受像機３の電源をオフとする。
【００１８】
次に留守モードとなっている状態の動作を説明する。
玄関先にいる来訪者が居住者を呼び出すための玄関子機１の呼出通話ボタン１０４を操作すると、居室親機２のＣＰＵ２０３が呼出を検出し、カメラ１０１からの映像信号をモニタ２０２にて表示すると同時にスピーカ２０８にて呼出音を鳴動させることができる。このとき、ＣＰＵ２０３はモード切替部２０６が留守モードになっていることを検知して、リモコン部２０４から録画装置４に録画開始信号を赤外線で送信するように制御する。録画開始信号を受信した録画装置は、録画装置４の電源をオンとし、カメラ１０１からの映像信号、音声信号を録音録画することができる。
【００１９】
その後、一定時間経過すると玄関子機１からの映像信号、音声信号は遮断される。映像信号、音声信号は遮断されると、ＣＰＵ２０３はモード切替部２０６が留守モードになっていることを検知して、リモコン部２０４から録画装置４に録画終了信号を赤外線で送信するように制御する。表示終了信号を受信した録画装置４は、録画動作を終了し、録画装置４の電源をオフとする。
【００２０】
尚、リモコン部２０４からのテレビ受像機３又は録画装置４に赤外線で制御信号を送信したが、赤外線でなく可視光線又は無線電波を通信媒体して制御信号を送信してもよい。
【００２１】
また、録画装置３としては、ビデオデッキ、ＤＶＤ録画装置、ＨＤレコーダ等のテレビ映像を録画するものである。
【図面の簡単な説明】
【００２２】
【図１】本発明の実施例によるインターホン装置の具体的な構成を示すブロック図。
【符号の説明】
【００２３】
１              玄関子機
２              居室親機
３              テレビ受像機
４              録画装置
２０３        ＣＰＵ
２０４        リモコン部
２０６        モード切替部
【図１】
2008211688.tif 000003